(57)【要約】【課題】    スライド部と固定管を組み合わせた設計により、固定管が中棒の一部分として中棒の長さと強度を増加し、傘を開いたとき中棒が安定した状態で傘を使用でき、傘を折り畳んだとき、該多節状の中棒がすべて固定管内に収納され、傘の体積と長さを最短・縮小にした傘の提供。【解決手段】    主に縫い合わせ、中棒、上ロクロ、下ロクロ、親骨、受骨と各多節傘骨から構成され、前記上ロクロの周縁に縫い合わせを支持する複数の親骨を軸着し、前記下ロクロ周縁に前記親骨を支持する複数の受骨を軸着し、該多節状の中棒のうち外径が最小の中棒上端にスライド部を固定し、且つ該スライド部を固定管に挿入し、該スライド部は該固定管内で上下に滑動することができ、さらに該固定管上端に親骨が軸着された前記上ロクロが固定され、且つ該固定管を前記受骨が軸着された下ロクロに挿入し、該下ロクロが該固定管外側で上下に滑動し、傘の開閉を行うことができる構造である。【選択図】    図３
0003106001.tif 000002
【実用新案登録請求の範囲】
【請求項１】
縫い合わせ、中棒、上ロクロ、下ロクロ、親骨、受骨と各多節傘骨から成る傘であって、前記上ロクロの周縁に縫い合わせを支持する複数の親骨を軸着し、前記下ロクロ周縁に前記親骨を支持する複数の受骨を軸着し、多節状を呈する前記中棒のうち外径が最小の中棒上端にスライド部を固定して設け、且つ該スライド部を固定管に挿入し、該固定管上端に前記複数の親骨が軸着された上ロクロが設置され、且つ、前記複数の受骨が軸着された下ロクロに該固定管を挿入し、該下ロクロは該固定管の外側で上下に滑動することができ、傘を開くとき、該固定管上に設けた固定孔または凹み部が下ロクロを支持し、中棒を安定した状態で伸ばして使用することができることを特徴とする傘。
【請求項２】
前記固定管と上ロクロが必要に応じ分離した状態で製作しその後接合する構成または一体成形で形成する構成のうちのどちらかである、請求項１に記載の傘。
【請求項３】
前記固定管とスライド部が必要に応じ円形、矩形、楕円形または多角形のうちの一つの形状を呈し、相互に係合できる形状である、請求項１に記載の傘。
【請求項４】
前記スライド部上にボール孔と凹み部を設け、該ボール孔は内部にバネとボールを収納でき、且つ該固定管上に該スライド部の凹み部と対応する突起片または支持部及び前記ボールに対応する嵌合孔をそれぞれ設け、中棒を引き伸ばすとき、該突起片または支持部が該スライド部の凹み部と相互に嵌合して位置決めされ、且つ、該ボールが固定管上の嵌合孔へ伸入して支持し、該スライド部と該固定管がしっかりと接合され一体となる、請求項１に記載の傘。
【請求項５】
前記スライド部上部を固定管孔切断面に対応する多角形体に形成し、その下部を適切な柱体に形成し、且つ該スライド部の適当な箇所にボール孔を設け、該ボール孔内にバネとボールを設置し、さらに固定管上に該ボールに対応する嵌合孔を設け、且つ該固定管下端部をスライド部下部柱体に合わせた管体を形成し、スライド部下部の柱体を該管体に嵌入した、請求項１に記載の傘。
【請求項６】
前記固定管とスライド部の構造が各種自動傘に応用可能である、請求項１に記載の傘。
【請求項７】
前記のうち、該管体の下端部円周に沿って必要に応じ使用者が中棒を引き出すとき手を負傷から保護するための縁突起を形成した、請求項５に記載の傘。
【考案の詳細な説明】
【技術分野】
【０００１】
本考案は、折り畳み傘の中棒の構造に関し、特に、中棒の長さと強度を増加し、傘を折りたたんだときの体積を最短・最小すると共に、安定した強固な状態で傘を開いて使用することができる傘の構造に関する。
【背景技術】
【０００２】
傘は人々が雨風を避けるために用いる日用品であり、携帯の利便性を高めるため、中棒を多節形式にすることにより、折り畳んだときの傘の体積が縮小される。従来の傘１は、図１及び図１Aに示すように、縫い合わせ１１、多節の中棒１２、上ロクロ１３、下ロクロ１４、親骨１５及び受骨１６から構成され、そのうち、上ロクロ１３周縁部に複数の前記親骨１５を軸設し縫い合わせ１１が支持され、前記下ロクロ１４周縁部に前記受骨１６を軸設し前記親骨１５が支持される。前記中棒１２は多節形式で、その上端が前記上ロクロ１３に固定され、該上ロクロ１３に固定された細パイプ１２２の適当な位置に矩形孔１２１が開設され、該細パイプ１２２内に設置されたはじき１７が該矩形孔１２１を穿通して突出し、前記下ロクロ１４を固定することができ、該下ロクロ１４に前記中棒１２が穿通されて、該下ロクロ１４が該中棒１２上で上下に滑動することができる。傘１を開くとき、前記下ロクロ１４を上方向へ前記はじき１７の上まで押し上げると、該はじき１７が該下ロクロ１４の底部を支持し、さらに該下ロクロ１４に連結された受骨１６が親骨１５を支持し、該親骨１５が前記縫い合わせ１１全体を支持して押し広げる。前記はじき１７を押すことにより、傘１を閉じることができる。
【０００３】
前述の一般的な傘１は、傘の開閉機能は備えているものの、前記中棒１２が二節または三節の構造であり、傘を折りたたんだ際の体積をより縮小するには、前記中棒１２をより多節の構造とする必要があるが、このとき、前記中棒１２の外側の太パイプの管径と内側の細パイプの管径の差が拡大し、傘を開くとき、管径が最小の細パイプと管径が外管より大きい下ロクロ１４との間に大きな隙間ができ、該下ロクロ１４を該中棒１２上で上下に滑動させるとき、前記中棒１２と下ロクロ間に任意の偏りが生じ、該中棒１２上のはじき１７が確実に該下ロクロ１４を支持することができなくなり、該下ロクロ１４が下方向へ滑脱しやすくなってしまい、傘を安定した状態で開いて使用することができなくなる。このため、いかに傘の体積と長さを最小・最短にし、傘を開いたときに中棒が安定した状態で傘を開いて使用できるようにするかが、解決が急がれる課題となっている。
【０００４】
そこで本考案は、中棒の長さと強度を増加することができ、同時に傘を折りたたんだときの体積を最短・最小にすることができ、且つ上述の傘の欠点と不便さを解決し、傘の全体の体積を縮小しつつ、中棒が安定した状態で傘を支持し使用できるようにした、多節中棒を有する傘を提供する。
【考案の開示】
【考案が解決しようとする課題】
【０００５】
本考案の目的は、スライド部と固定管を組み合わせた設計により、固定管が中棒の一部分として中棒の長さと強度を増加し、傘を開いたとき、中棒が安定した状態で傘を使用でき、傘を折り畳んだとき、該多節状の中棒がすべて固定管内に収納され、傘の体積と長さを最短・縮小にした傘を提供することにある。
【課題を解決するための手段】
【０００６】
本考案の折り畳み傘は、主に縫い合わせ、中棒、上ロクロ、下ロクロ、親骨、受骨と各多節傘骨から構成され、前記上ロクロの周縁に縫い合わせを支持する複数の親骨を軸着し、前記下ロクロ周縁に前記親骨を支持する複数の受骨を軸着し、該多節状の中棒のうち外径が最小の中棒上端にスライド部を固定し、且つ該スライド部を固定管に挿入し、該スライド部は該固定管内で上下に滑動することができ、さらに該固定管上端に親骨が軸着された前記上ロクロが固定され、且つ該固定管を前記受骨が軸着された下ロクロに挿入し、該下ロクロが該固定管外側で上下に滑動し、傘の開閉を行うことができる構造である。
【考案の効果】
【０００７】
本考案の傘によれば、固定管により多節状の中棒の長さと強度が確実に増加され、中棒を安定した強固な状態で引き出して使用することができ、同時に傘をたたんだとき、その体積と長さを最小・最短にすることができる。
【考案を実施するための最良の形態】
【０００８】
以下、本考案の傘について、最良の実施例と図面に基づき、その効果、構造、特徴を詳細に説明する。
【実施例１】
【０００９】
図２、図２A、図３に示すように、本考案の傘２は、縫い合わせ２１、中棒２２、上ロクロ２３、下ロクロ２４、親骨２５、受骨２６及び固定管２７から構成され、前記上ロクロ２３の周縁部に前記縫い合わせ２１を支持する複数の親骨２５を軸着し、前記下ロクロ２４周縁部に前記親骨２５を支持する受骨２６を軸着し、そのうち、該多節状の中棒のうち外径が最小の中棒２２の上端にスライド部２８を設置し、且つ該スライド部２８を固定管２７に挿入し、該スライド部２８は該固定管２７内で上下に滑動することができ、さらに該固定管２７上端に親骨２５が軸着された前記上ロクロ２３が固定され、且つ該固定管２７を前記受骨２６が軸着された下ロクロ２４に挿入し、該下ロクロ２４が該固定管２７外側で上下に滑動する。傘２を開くとき、該固定管２７上に設けた固定孔２７１(図３に示す)が下ロクロ２４を確実に固定し、中棒２２が安定して展開され、しっかりと傘を開いて使用することができる。且つ、該固定管２７を中棒２２の一部として使用することになり、中棒２２の長さと強度が増加される。傘を閉じるときは、該多節状の中棒２２がすべて該固定管２７内に収納され、傘２の体積と長さを最小・最短にすることができる。
【００１０】
前図及び図４に示すように、前記スライド部２８は釘部品２８４により中棒２２と接合され、該スライド部２８上にボール孔２８１と凹み部２８５を設け、該ボール孔２８１内にバネ２８２及びボール２８３を設置し、且つ該固定管２７上に該ボール２８３及び凹み部２８５に対応する嵌合孔２７２と突起片２９を設ける。該嵌合孔２７２は必要に応じ固定管２７上の適当な位置に設け、中棒２２を引き伸ばすとき、該固定管２７上の突起片２９が該スライド部２８上の凹み部２８５と係合して位置決めされ、且つ該ボール２８３が固定管２７上の嵌合孔２７２に伸入し、該スライド部２８と該固定管２７が安定した状態で一体となって接合される。さらに、該突起片２９の側面上に固定柱２９１を設け、且つ該固定管２７上に該固定柱２９１と相対する通孔２７３を設け、該固定柱２９１が該通孔２７３内に挿入され、該突起片２９が固定管２７下端部内にリベット留めまたは粘着でしっかりと固定される。
【実施例２】
【００１１】
図５に本考案の別の設計形態を示す。固定管２７と上ロクロ２３は分離状態を呈し、該上ロクロ２３の下側に下方向に接合部２３１を形成し、該接合部２３１上に接合孔２３２を設け、且つ固定管２７上に該接合孔２３２と相対する挿入孔２７４を形成し、リベット２７６を挿入し該上ロクロ２３と固定管２７を固定し、さらに該固定管２７上に外側がくぼみ内側が突起した支持部２７５を設け、中棒２２を伸ばしたとき、該固定管２７上の支持部２７５が前記スライド部２８上の凹み部２８５と相互に嵌合され位置決めされる。且つ、該ボール２８３は固定管２７上の嵌合孔２７２に伸入し、該スライド部２８と該固定管２７が安定した状態で一体となって接合される。
【００１２】
本考案の傘を手で開く際、図３に示すように、傘２が開かれると、まず多節状の中棒２２を下方向へ引っ張って伸ばし、該固定管２７上の突起片２９が該スライド部２８上の凹み部２８５と相互に係合して位置決めされ、且つ該ボール２８３が固定管２７上の嵌合孔２７２に伸入して支持し、該スライド部２８と固定管２７が安定した状態で接合されて一体となり、且つ、固定管２７が多節中棒２２の一部を形成する。さらに、下ロクロ２４を上方向へ押し上げると、はじき装置４が固定管２７の固定孔２７１に嵌入され、下ロクロ２４に連結された受骨２６が親骨２５を支持して縫い合わせ２１全体が押し開かれ、傘を広げる動作が完了する。本考案は固定管２７の固定孔２７１と下ロクロ２４上のはじき装置４により、傘２がしっかりと開かれ、使用目的を達することができる。
【００１３】
図６に示すように、本考案は前述の固定管２７とスライド部２８の設計により、固定管２７が多節状の中棒２２の一部となり、該中棒２２の長さと強度を増加することができる。傘２を折りたたむときは、まず下ロクロ２４上のはじき装置４を押し、はじき装置４を固定管２７上の固定孔２７１から離脱させ、さらに下ロクロ２４を下方向へ滑動させるとき、ボール２８３が下方向へ押され、固定管２７上の嵌合孔２７２から離脱し、最後に該中棒２２を上ロクロ２３下方の固定管２７内にすべて収納し、傘２の体積と長さを最小・最短にすることができる。
【００１４】
前述の下ロクロ２４側面に設けたはじき装置４は、傘をよりしっかりと支持するために、さらに弾性を備えたはじき体４’を設けてもよく、前図及び図７、図７Aに示すように、該固定管２７上に弾性を備えたはじき体４’を設け、該はじき体４’は弓状を呈し、傘２を開くときはまず多節状の中棒２２を引っ張って伸ばし、該固定管２７上の突起片２９が該スライド部２８上の凹み部２８５と相互に係合して位置決めされ、且つ該ボール２８３が固定管２７上の嵌合孔２７２に伸入して支持し、該スライド部２８と固定管２７が安定した状態で接合されて一体となり、且つ、固定管２７が多節中棒２２の一部を形成する。さらに、下ロクロ２４を上方向へ押し上げると、はじき体４’が下ロクロ２４を突っ張って支持し、該下ロクロ２４に連結された受骨２６が親骨２５を支持して縫い合わせ２１全体が押し開かれ、傘を広げる動作が完了する。傘２を折りたたむときは、まず固定管２７のはじき体４’を押し、下ロクロ２４をはじき体４’から離脱させ、さらに下ロクロ２４を下方向へ滑動させると、ボール２８３が下方向へ押され、固定管２７上の嵌合孔２７２から離脱し、最後に該中棒２２を上ロクロ２３下方の固定管２７内にすべて収納し、傘２の体積と長さを最小・最短にすることができる。
【００１５】
図８に示すように、本考案は一般的な自動傘２aに実施することもでき、そのうち中ロクロ２０、下ロクロ２４の間及び固定管２７と中棒２２内にそれぞれ圧縮バネ３を設置し、さらに前述の該固定管とスライド部２８を組み合わせることにより、傘をひらくとき、該固定管２７が多節状の中棒２２の増加分の長さを形成し、傘２aをたたむときは、該中棒２２が上ロクロ２３下方の固定管２７内にすべて収納され、傘２aの体積と長さを最小・最短にすることができる。
【００１６】
前図の説明と実施例においては、本考案を一種類の自動傘に実施しているが、当然その他の構造の異なる自動傘に適用することもでき、例えば図９に示すような紐式の自動開閉傘２ｂにおいては、傘を開くとき、該固定管２７が多節状の中棒２２の長さと強度を増加し、傘２ｂを閉じるときは、該中棒２２が上ロクロ２３下方の固定管２７内にすべて収納され、傘２ｂの体積と長さを最小・最短にすることができる。
【００１７】
図１０に本考案の別の設計形態を示す。そのうち、該スライド部２８上部を固定管２７孔切断面に対応する多角形体に形成し、その下部は上部の多角形体内におさまる円柱管２８６を形成し、且つ該スライド部２８の適当な箇所にボール孔２８１を開設し、該ボール孔２８１内にバネ２８２とボール２８３を設置し、さらに固定管２７上に該ボール２８３に対応する嵌合孔２７２を設け、且つ該固定管２７下端部に該スライド部２８に被せる管体２７７を形成し、該スライド部２８の円柱管２８６が嵌合される。
【００１８】
上述を受け、固定管２７は上ロクロ２３と分離した形態を呈し、スライド部２８が中棒２２を連帯し、固定管２７上方の開口部から挿入され、該上ロクロ２３に接合部２３１を下方向に形成し、該接合部２３１上に接合孔２３２を設け、且つ固定管２７上に該接合孔２３２に対応する挿入孔２７４を設け、リベット２７６を挿入してリベット留めし、上ロクロ２３と固定管２７が組み立てられ、中棒２２が引き出されると、該固定管２７の管体２７７が前述のスライド部２８の円柱管２８６と相互に嵌合されて位置決めされ、同時に該ボール２８３が固定管２７上の嵌合孔２７２に進入して支持し、該スライド部２８と該固定管２７がしっかりと接合され一体となり、固定管２７が多節中棒２２の一部分として、多節中棒２２の長さを増加する。
【００１９】
上述を受け、図１１に示すように、該管体２７７下端部円周に沿って必要に応じ縁突起２７８を設けてもよく、使用者が中棒２２を引き出したとき、手の負傷を防ぐことができる。  
【００２０】
本考案の折り畳み傘の多節中棒の改良構造は、多節中棒の長さと強度を確実に増加することができ、中棒を安定した強固な状態で引き出して使用することができ、従来の傘の構造に比べ実用的価値が高く、且つ経済的効果も備えており、前述の構造と装置は、前述の目的と効果を確実に達成でき、これまでにない構造であり、その効果と共に新規性を備えているため、ここに実用新案登録を申請するものである。
【００２１】
前述の実施例は本考案の原理とその効果を説明するためのものであり、本考案を制限するものではなく、この技術に詳しい人物による前述の実施例に対するいかなる修飾や変更も本考案の精神と要旨に逸脱しないものとみなす。本考案の権利保護範囲は、実用新案登録請求の範囲によるものとする。
【図面の簡単な説明】
【００２２】
【図１】従来の傘を開いた状態を示す立体斜視図である。
【図１Ａ】図１の傘の部分拡大図である。
【図２】本考案の傘の構造を示す立体図である。
【図２Ａ】図２の傘の部分拡大図である。
【図３】本考案の傘の側面透視図である。
【図４】本考案の傘の固定管とスライド部の立体分解図である。
【図５】本考案の傘の別の固定管とスライド部の立体分解図である。
【図６】本考案の傘を閉じた状態示す側面透視図である。
【図７】本考案の傘の別の実施例を示す立体図である。
【図７Ａ】図７の傘の部分拡大図である。
【図８】本考案の傘を一般的な自動傘に応用した実施例を示す側面透視図である。
【図９】本考案の傘を自動開閉傘に応用した実施例を示す側面透視図である。
【図１０】本考案の傘のさらに別の固定管とスライド部の立体分解図である。
【図１１】図１０の固定管とスライド部の別の実施例を示す立体分解図である。
【符号の説明】
【００２３】
１      傘
１１    縫い合わせ
１２    中棒
１２１  矩形孔      
１２２  細パイプ
１３  上ロクロ  
１４    下ロクロ
１５    親骨
１６    受骨
１７    はじき
２      傘  
２０    中ロクロ          
２１    縫い合わせ
２２    中棒
２３    上ロクロ
２３１  接合部
２３２  接合孔
２４    下ロクロ
２５    親骨
２６    受骨
２７    固定管
２７１  固定孔
２７２  嵌合孔
２７３  通孔
２７４  挿入孔
２７５  支持部
２７６  リベット
２７７  管体
２７８  縁突起
２８    スライド部
２８１  ボール孔
２８２  バネ
２８３  ボール
２８４  釘部品
２８５  凹み部
２８６  円柱管
２９    突起片
２９１  固定柱
２a    自動傘
２b    自動開閉傘
３      圧縮バネ
４      はじき装置
４’    はじき体
【図１】
0003106001.tif 000003
【図１Ａ】
0003106001.tif 000004
【図２】
0003106001.tif 000005
【図２Ａ】
0003106001.tif 000006
【図３】
0003106001.tif 000007
【図４】
0003106001.tif 000008
【図５】
0003106001.tif 000009
【図６】
0003106001.tif 000010
【図７】
0003106001.tif 000011
【図７Ａ】
0003106001.tif 000012
【図８】
0003106001.tif 000013
【図９】
0003106001.tif 000014
【図１０】
0003106001.tif 000015
【図１１】
0003106001.tif 000016